(57)【要約】【課題】管状笠木に対して脱落の虞がなく、外観が優美であると共にいたずらによって取り外されたりすることのない継手部材を有する手摺笠木継手装置を提供することにある。【解決手段】継手部材２には、基部３から軸線内方にむけて管状笠木１の内周面に沿う外面４および軸線内方に向けて拡径する内面５を形成する円周方向に数分割した圧着片部６と基部を貫通する通孔７に連通する螺孔８を有する中央筒部９とが形成され、筒状コーン部材１０は、截頭円錐外面１１を有すると共にその底板１２には透孔１３が穿設され、螺孔８に螺合される頭付きボルト１４の先端には、通孔７から挿入回転操作される多角レンチ嵌合用の多角孔１５が形成され、圧着片部の付け根箇所は板厚を減少させた薄肉部１６に形成され、圧着片部を拡開させた時に薄肉部の変形により圧着片部の外面全体が管状笠木の内周面に密着する。【選択図】図２
2005076352.tif 000002
【特許請求の範囲】
【請求項１】
管状笠木の端部に嵌合止着され該管状笠木より突出する基部を有する継手部材を備えた手摺笠木継手装置において、該継手部材には、該基部の外周側において該基部から軸線内方にむけて該管状笠木の内周面に沿う外面および軸線内方に向けて拡径する内面を形成する円周方向に数分割した圧着片部と該基部の中心側において該基部から軸線内方に向けて該基部を貫通する通孔に連通する螺孔を有する中央筒部とが形成され、該継手部材の該圧着片部と該中央筒部との間に軸線外方に向けて挿入される筒状コーン部材は、軸線外方に向けて縮径した截頭円錐外面を有すると共にその底板には透孔が穿設され、軸線外方に向けて該筒状コーン部材の該透孔を通じて該継手部材の該螺孔に螺合される頭付きボルトの先端には、該継手部材の該通孔から挿入回転操作される多角レンチ嵌合用の多角孔が形成され、該継手部材における該圧着片部の該基部への付け根箇所は板厚を減少させた薄肉部に形成され、該頭付きボルトの回転により該継手部材における該圧着片部を拡開させた時に該薄肉部の変形により該圧着片部の該外面全体が該管状笠木の該内周面に密着することを特徴とする手摺笠木継手装置。
【請求項２】
前記継手部材の前記基部は、該基部自体が手摺端部を形成する外形を形成していることを特徴とする請求項１記載の手摺笠木継手装置。
【請求項３】
前記継手部材の前記基部は、他の手摺桿端部が被覆されて連結する支持体とされることを特徴とする請求項１記載の手摺笠木継手装置。
【発明の詳細な説明】
【技術分野】
【０００１】
本発明は、管状笠木の端部部材として使用される場合や、管状笠木の端部に他の手摺桿を連結する連結部材として使用される場合等の手摺笠木継手装置に関する。
【背景技術】
【０００２】
環状笠木の端部部材として使用される場合や、管状笠木の端部に他の手摺間を連結する場合における連結部材として使用される場合等の手摺笠木継手装置について、例えば管状笠木の端部に拡径して抜け止めを形成する分割拡径片を有する拡径部材、拡径部材の拡径を誘導する誘導部材、誘導を行うために拡径部材と誘導部材との相対的移動を行う螺子部材とよりなる装置は従来知られている（例えば、特許文献１および特許文献２参照。）。これらの継手装置では誘導部材を移動して拡径部材の分割拡径片を拡径させると、この拡径片のそれぞれの先端部分のみが管状笠木の内面を押圧して抜け止め状態を形成するために、使用中に抜け止めが緩んで継手部材が抜け出す虞がある。またこれらの継手装置では誘導部材を操作する螺子部材の操作位置が外部に明らかに現れており、外観を損なう上にいたずら等によって継手装置が外されたりする虞がある。
【０００３】
【特許文献１】特開昭６０−１３８１６０号公報
【特許文献１】特開２００２−３１０１１１号公報
【発明の開示】
【発明が解決しようとする課題】
【０００４】
本発明が解決しようとする課題は、管状笠木に対して脱落の虞がなく、外観が優美であると共にいたずらによって取り外されたりすることのない継手部材を有する手摺笠木継手装置を提供することにある。
【課題を解決するための手段】
【０００５】
継手部材における円周方向に数分割した管状笠木に圧着すべき圧着片部の基部への付け根箇所は板厚を減少させた薄肉部に形成され、圧着片部を拡開させた時に薄肉部の変形により圧着片部の外面全体を管状笠木の内周面に密着させ、また圧着片部の拡開操作は基部の奥に位置する多角レンチ嵌合用多角孔により行うようにしたことを特徴とする。
【発明の効果】
【０００６】
本発明は次のような効果を奏する。
Ａ．周囲方向に押圧された圧着片部は、薄肉で最も変形しやすい薄肉部が、拡開状に変形するから、圧着片部の外面全体が管状笠木の内周面に密着する。したがって継手部材と管状笠木との接触面積を拡大することができるから両者は確実に接合され、基部に加わる軸方向あるいは放射状方向の応力に対して緩みを生じて脱落することがない。また圧着片部が管状笠木を局部的に押圧して管状笠木の局部変形を生じさせたりすることもない。
Ｂ．継手部材の基部における表面に露出しない通孔の奥に存在する頭付きボルト先端の多角孔を操作することによって組立体の取付を行うことは、外部から設置した継手部材を取り外すいたずらを防止する効果を奏する。
【発明を実施するための最良の形態】
【０００７】
本発明の手摺笠木継手装置は、管状笠木の端部に嵌合止着され該管状笠木より突出する基部を有する継手部材を備えた手摺笠木継手装置において、該継手部材には、該基部の外周側において該基部から軸線内方にむけて該管状笠木の内周面に沿う外面および軸線内方に向けて拡径する内面を形成する円周方向に数分割した圧着片部と該基部の中心側において該基部から軸線内方に向けて該基部を貫通する通孔に連通する螺孔を有する中央筒部とが形成され、該継手部材の該圧着片部と該中央筒部との間に軸線外方に向けて挿入される筒状コーン部材は、軸線外方に向けて縮径した截頭円錐外面を有すると共にその底板には透孔が穿設され、軸線外方に向けて該筒状コーン部材の該透孔を通じて該継手部材の該螺孔に螺合される頭付きボルトの先端には、該継手部材の該通孔から挿入回転操作される多角レンチ嵌合用の多角孔が形成され、該継手部材における該圧着片部の該基部への付け根箇所は板厚を減少させた薄肉部に形成され、該頭付きボルトの回転により該継手部材における該圧着片部を拡開させた時に該薄肉部の変形により該圧着片部の該外面全体が該管状笠木の該内周面に密着することを基本的な特徴とする。
【０００８】
また前記継手部材の前記基部は、該基部自体が手摺端部を形成する外形を形成していることを特徴とする。
【０００９】
さらに前記継手部材の前記基部は、他の手摺桿端部を被覆して連結する支持体とされることを特徴とする。
【実施例】
【００１０】
本発明の詳細な特徴について、添付図面に記載された実施例を参照して説明する。
図１乃至図３において、管状笠木１の端部に嵌合止着される継手部材２には、設置時に管状笠木１より外方に突出する基部３が設けられている。この例では、継手部材２は笠木の端部を形成する端部部材であり、基部３の外形は簡素な截頭円錐形状をなしている。継手部材２には、基部３の外周側において基部３から軸線内方にむけて管状笠木１の内周面に沿う外面４および軸線内方に向けて拡径する内面５を形成する円周方向に数分割した圧着片部６と基部３の中心側において基部３から軸線内方に向けて基部３を貫通する通孔７に連通する螺孔８を有する中央筒部９とが形成されている。継手部材２の圧着片部６と中央筒部９との間に軸線外方に向けて挿入される筒状コーン部材１０は、軸線外方に向けて縮径した截頭円錐外面１１を有すると共にその底板１２には透孔１３が穿設されている。また軸線外方に向けて筒状コーン部材１０の透孔１３を通じて継手部材２の螺孔８に螺合される頭付きボルト１４の先端には、継手部材２の通孔７から挿入回転操作される多角レンチＷを嵌合するための多角孔１５が形成されている。そして本発明では継手部材２における圧着片部６の基部３への付け根箇所は板厚を減少させた薄肉部１６に形成されている特徴を有する。
【００１１】
管状笠木１に継手部材２を嵌合止着するには、先ず継手部材２の圧着片部６と中央筒部９との間隙に筒状コーン部材１０を緩く嵌合し、次いで筒状コーン部材１０の底板１２における透孔１３から頭付きボルト１４を挿入して継手部材２の中央筒部９における螺孔８を緩く螺合させた組立体を用意する。この組立体を管状笠木１の端部に挿入し、位置調整を行った後に、継手部材２の基部３における通孔７から多角レンチＷを挿入して頭付きボルト１４先端の多角孔１５に嵌合させ、多角レンチＷを回転させる。多角レンチＷの回転によって継手部材２の中央筒部８における螺孔８に螺合している頭付きボルト１４も回転されて筒状コーン部材１０を軸線外方に移動させ、筒状コーン部材１０の截頭円錐外面１１が圧着片部６の内面を外方に拡開するように押圧する。押圧された圧着片部６は、薄肉で最も変形しやすい薄肉部１６が、図４において鎖線の位置から実線の位置に移動するように拡開状に変形するから、圧着片部６の外面４全体が管状笠木１の内周面に密着する。圧着片部６の外面４全体が管状笠木１の内周面に密着することによって、継手部材２と管状笠木１との接触面積を拡大することができるから両者は確実に接合され、基部３に加わる軸方向あるいは放射状方向の応力に対して緩みを生じて脱落することがない。また圧着片部６が管状笠木１を局部的に押圧して管状笠木１の局部変形を生じさせたりすることもない。
【００１２】
さらに継手部材２の基部３における表面に露出しない通孔７の奥に存在する頭付きボルト１４先端の多角孔１５を操作することによって組立体の取付を行うことは、外部から設置した継手部材２を取り外すいたずらを防止する効果を奏する。図５には、継手部材２の基部３について平板状に形成されている例が示されている。手摺笠木の端部材としては前記例のように截頭円錐形状をなすものの他、種々の形状のものを採用することができる。また継手部材２の基部３は、他のＬ字状手摺桿やＴ字状手摺桿の端部を被覆して連結する支持体としても利用することができる。
【図面の簡単な説明】
【００１３】
【図１】手摺笠木継手装置の分解斜視図である。
【図２】手摺笠木継手装置の縦断面図である。
【図３】手摺笠木継手装置の横断面図である。
【図４】圧着片部の拡開状況を示す縦断面図である。
【図５】継手部材における基部の変形例を示す斜視図である。
【符号の説明】
【００１４】
１  管状笠木
２  継手部材
３  基部
４  外面
５  内面
６  圧着片部
７  通孔
８  螺孔
９  中央筒部
１０  筒状コーン部材
１１  截頭円錐外面
１２  底板
１３  透孔
１４  頭付きボルト
１５  多角孔
１６  薄肉部
【図１】
2005076352.tif 000003
【図２】
2005076352.tif 000004
【図３】
2005076352.tif 000005
【図４】
2005076352.tif 000006
【図５】
2005076352.tif 000007